(57)【要約】【課題】テレビ等の録画予約における利便性を改善すること。【解決手段】テレビ番組等のタイマ予約を行う際、番組を特定するために必要な情報の一部に基づいて、ユーザが希望する番組を推定し、設定の必要な情報を補充もしくは修正する。例えば、日付、チャンネル番号及び開始時刻が入力されると、この情報から対応する番組のタイトル及び終了時刻を自動で取得し、設定画面に表示する。完了の指示があると、予約情報を登録する。【選択図】  図４
2005051325.tif 000002
【特許請求の範囲】
【請求項１】
記録を希望する番組を設定するための設定画面を呈示する設定画面呈示手段と、
放送プログラムを受信するプログラム取得手段と、
前記設定画面を介して入力された日付、開始時刻、チャンネル番号に基づいて、前記放送プログラムから対応する番組を推定する推定手段と、
前記推定手段が推定した番組のタイトル及び終了時刻を、前記設定画面呈示手段によって前記設定画面内に呈示させる制御手段と、
前記設定画面を介して設定の完了が指示されると、前記日付、開始時刻、終了時刻及びチャンネル番号を予約情報として設定する設定手段とを有することを特徴とする情報処理装置。
【請求項２】
記録を希望する番組を設定するための設定画面を呈示する設定画面呈示手段と、
放送プログラムを受信するプログラム取得手段と、
前記設定画面を介して入力された、日付、開始時刻、終了時刻、チャンネル番号のいずれか３つに基づいて、前記放送プログラムから対応する番組を推定する推定手段と、
前記推定手段が推定した番組のタイトル、日付、開始時刻、終了時刻、チャンネル番号を、前記設定画面呈示手段によって前記設定画面内に呈示させる制御手段と、
前記設定画面を介して設定の完了が指示されると、前記日付、開始時刻、終了時刻及びチャンネル番号を予約情報として設定する設定手段とを有し、
前記推定手段が、前記入力された日付、開始時刻、終了時刻、チャンネル番号のいずれか３つの全てに合致する番組が前記放送プログラムに存在しない場合、前記入力された日付、開始時刻、終了時刻、チャンネル番号の１つについて、入力値から所定の範囲に含まれる番組を推定結果とすることを特徴とする情報処理装置。
【請求項３】
前記プログラム取得手段が、定期的に前記放送プログラムを更新し、
前記設定手段が、前記放送プログラムにおいて、設定された予約情報に変更が生じた場合には当該変更に併せて前記予約情報を変更することを特徴とする請求項１又は請求項２に記載の情報処理装置。
【発明の詳細な説明】
【０００１】
【発明の属する技術分野】
本発明は例えばテレビ放送のようにプログラムに従って放送される情報を予約記録可能な情報処理装置に関する。
【０００２】
【従来の技術】
ビデオレコーダ等の録画機器やテレビに内蔵される録画装置に、放映予定のテレビ番組の録画予約を行う方法として、例えば以下の方法が一般的である。
一つは、ユーザが録画を所望する番組の放映予定日時、チャンネル等の番組情報を入力して指定して録画設定を行うタイマ予約録画、
もう一つは、新聞やテレビ情報誌等に掲載されている、番組情報をコード化した固有の番組コードを入力して録画設定するコード予約。
【０００３】
また、近年放送のデジタル化に伴い、ＥＰＧと呼ばれる電子番組情報ガイドが放送波で送信されるようになり、これをテレビ画面に表示させ所望の番組を選択する等して録画設定することも例えば特許文献１に開示されるように可能になっている。
【０００４】
このうち、タイマ予約録画を行う場合、その手順は概ね以下のようになることが多い。
１）日付の設定⇒２）録画開始時刻の設定⇒３）録画終了時刻の設定⇒４）チャンネル設定⇒５）録画モードの設定⇒６）完了。従ってタイマ録画予約の設定を行うためには新聞等のテレビ番組欄で放送時間帯やチャンネル等の番組情報を確認しながら設定を行うか、ユーザの記憶を頼りに設定を行うことになる。
【０００５】
【特許文献１】特開２０００−３４１１５６号公報
【０００６】
【発明が解決しようとする課題】
タイマ録画予約は、番組コードやＥＰＧを用いる場合と比較して、ユーザが設定しなければならない項目が多くなるため面倒であり、また番組名ではなくチャンネルや時間帯を指定するため、本当に設定した時間帯に所望する番組が放送予定なのか否か不安が残り、自信を持って使いにくいという課題がある。
【０００７】
このような課題があるにもかかわらず、ＥＰＧを用いた録画予約や番組コード予約ではなく、タイマ予約録画を行うユーザは少なくない。その理由としては、録画を所望する番組の放映予定時間やチャンネル等の番組情報の記憶にユーザがおおよそ確信を持っており、番組コードを調べたり、ＥＰＧを表示させてスクロール等を行い所望の番組を捜す等、他の録画予約の方法より、覚えている時間帯を指定するタイマ予約録画の方が設定作業が簡単であると考えているからであると予想される。即ち、録画を所望する番組が例えば毎週放送され視聴している番組なら曜日や時間帯チャンネル等を覚えているので、新聞や情報誌で番組コード情報を調べたり、ＥＰＧを表示させ所望の番組を検索して調べたりするプロセスを省略できるからである。
【０００８】
ＥＰＧは多くの場合、ユーザがリモコン等で取得操作を行うことで取得される。ＥＰＧを表示すれば番組の時間情報だけでなくタイトルや番組説明等多くの情報を得ることができる。一般的な表示方法は、新聞等でなされているように、時間帯と放送局をマトリックス状に配置しそこに番組情報を表示する方法である。
しかし、受信可能な放送局全てを１画面内に表示するのは視認性の観点からあまり適当ではないため、通常は一部の放送局の一部の時間帯が１画面内に表示されることが多い。そのため、画面内に所望する番組が無い場合は、リモコンで画面をスクロールする等して所望の番組を探すことになる。放映時間帯が長くなり、また衛星放送や放送のデジタル化等により多局化が進んでいるため、番組表から所望する番組にたどりつくための操作ステップは増加傾向にある。
【０００９】
一方、タイマ予約録画は概ね以下の手順で行われる。
まず、タイマ予約録画を設定する設定画面を表示させ、まず日付を入力する。
入力作業はリモコンにより数字キーで直接入力していく方法や方向キー等で例えばプルダウンメニューの表示の中から選択していく等の方法で入力を行う。入力作業は以下に説明する入力でも同様に行われる。
【００１０】
次に録画開始時刻を入力する。午前／午後→時→分と入力していく。
次に録画終了時刻を入力する。同様に午前／午後→時→分と入力していく。
次にチャンネル番号を入力する。
次に標準／３倍速等の録画モードを選択し録画予約設定を完了させる。
【００１１】
さて、上記手順では上述したように入力項目の内容はユーザの記憶を頼りに行われる（自信がない場合は新聞等の番組欄で確認しながら行う場合もある）が、録画を所望する番組を確実に録画するため録画開始及び終了時刻の設定は時間的な余裕を持たせるように設定することが多い。
【００１２】
例えば、録画対象とする時間を夜の９時〜１０時までの１時間番組と覚えているような場合、時刻の設定を夜８：５５録画開始、１０：０２録画終了等と予約設定するような場合である。
【００１３】
しかしながらこのような設定を行うユーザの多くは、録画を所望する番組以外の時間帯の録画を望んでいるわけではなく、録画したい番組の始まり及び終わりが欠けることなく録画されるようにこのような設定を行っている。従って、録画希望番組の前後に録画される部分は本来録画が不要な部分であるといえる。
【００１４】
ユーザは録画を所望する番組の時間帯は上記のように大雑把に捉えていることが多いが、９時〜１０時の枠において実際に番組が放映される時間は番組編成上９：０２〜９：５３等というように編成されている事も多い。このような場合は録画不要部分は更に増えてしまうという課題がある。
【００１５】
また、ユーザが番組情報を間違えて覚えていたり、誤入力したり、たまたま当日の番組編成に変更があった場合等はそれに気付かず、希望と異なる番組を録画してしまう等の課題がある。
【００１６】
本発明はこのような従来技術の問題点に鑑みなされたものであり、その目的は、放送プログラムに従って放送される番組を予約記録可能な情報処理装置において、簡便な方法で正確な番組予約を実現することにある。
【００１７】
【課題を解決するための手段】
すなわち、本発明の要旨は、記録を希望する番組を設定するための設定画面を呈示する設定画面呈示手段と、放送プログラムを受信するプログラム取得手段と、設定画面を介して入力された日付、開始時刻、チャンネル番号に基づいて、放送プログラムから対応する番組を推定する推定手段と、推定手段が推定した番組のタイトル及び終了時刻を、設定画面呈示手段によって設定画面内に呈示させる制御手段と、設定画面を介して設定の完了が指示されると、日付、開始時刻、終了時刻及びチャンネル番号を予約情報として設定する設定手段とを有することを特徴とする情報処理装置に存する。
【００１８】
また、本発明の別の要旨は、記録を希望する番組を設定するための設定画面を呈示する設定画面呈示手段と、放送プログラムを受信するプログラム取得手段と、設定画面を介して入力された、日付、開始時刻、終了時刻、チャンネル番号のいずれか３つに基づいて、放送プログラムから対応する番組を推定する推定手段と、推定手段が推定した番組のタイトル、日付、開始時刻、終了時刻、チャンネル番号を、設定画面呈示手段によって設定画面内に呈示させる制御手段と、設定画面を介して設定の完了が指示されると、日付、開始時刻、終了時刻及びチャンネル番号を予約情報として設定する設定手段とを有し、推定手段が、入力された日付、開始時刻、終了時刻、チャンネル番号のいずれか３つの全てに合致する番組が放送プログラムに存在しない場合、入力された日付、開始時刻、終了時刻、チャンネル番号の１つについて、入力値から所定の範囲に含まれる番組を推定結果とすることを特徴とする情報処理装置に存する。
【００１９】
【発明の実施の形態】
以下、添付図面を参照して本発明をその好適な実施形態に基づき詳細に説明する。
なお、以下の説明においては、ハードディスクドライブを内蔵し、放送波を受信して番組再生を行うデジタルテレビ装置を本発明による情報処理装置の一実施形態として説明する。
【００２０】
＜第１の実施形態＞
図１は本実施形態に係るデジタルテレビ装置のブロック図である。
同図において１０１はアンテナ、１０２はチューナ部、１０３は復調部、１０４はデマルチプレクサ、１０５はＡＶデコーダ部、１０６は画像処理部、１０７は音声処理部、１０８は表示部、１０９はスピーカ部である。
【００２１】
アンテナ１０１は放送局や衛星から送信される放送波を受波する。放送波はチューナ部１０２及び復調部１０３で選局及び復調され、デマルチプレクサ１０４により映像、音声、付加情報に分けられる。これらの情報はＡＶデコーダ１０５内の対応するデコーダ（映像デコーダ、オーディオデコーダ、データデコーダ）にそれぞれ渡される。本実施形態において、放送波はＭＰＥＧ２形式に圧縮された形で送信されているものとし、ＡＶデコーダ部１０５は夫々のデコーダで映像、音声、付加情報データを復号化する。また、付加情報データには番組説明、イベント、ＥＰＧ情報等が含まれ、これらの解釈が行われる。
【００２２】
ＡＶデコーダ部１０５で復号化された映像及び音声データは夫々画像処理部１０６及び音声処理部１０７へ渡され、表示部１０８及びスピーカ部１０９で映像及び音声出力を得るための適切な信号に変換される。表示部１０８及びスピーカ部１０９はこれらの信号を出力する。
【００２３】
また、１１０は本実施形態におけるデジタルテレビ装置全体の制御を行う制御部、１１１はＧＵＩ生成部、１１２はハードディスクインタフェース（ＨＤＤｉ／ｆ）、１１３はハードディスクドライブ（ＨＤＤ）、１１４はメモリ、１１５はリモコン受光部、１１６はリモコンである。
【００２４】
本実施形態のデジタルテレビ装置は、受信した放送波をデマルチプレクサ１０４から取り出し、ＨＤＤｉ／ｆ１１２を介して番組をデータ圧縮されたＭＰＥＧ２形式のままＨＤＤ１１３に録画可能である。ＧＵＩ生成部１１１はユーザが本デジタルテレビ装置の操作を行うための操作画像を生成するほか、付加情報データに含まれるＥＰＧデータ等を解釈し、番組表画像を生成する。ＧＵＩ生成部１１１が生成する画像は、画像処理部１０６によりＡＶデコーダ部１０５の映像デコーダからの信号と合成され、表示部１０８で表示出力される。
【００２５】
また、メモリ１１４はＲＯＭ及びＲＡＭ（不揮発性ＲＡＭを含む）から構成され、制御部１１０が装置を制御するための制御情報やプログラムが格納されているとともに、ＥＰＧ等の番組付加情報の記録、更新が可能である。ユーザはリモコン１１６を操作することにより、操作コマンドを例えば赤外線によってリモコン受光部１１６に送信することにより装置を操作する。
【００２６】
■（リモコンの構成）
図２はリモコン１１６の例を示す外観図である。２０１はテレビ装置の電源入／切を行うための電源ボタン、２０２はチャンネル選局や時間設定を入力するための数字（記号）ボタン、２０３は操作メニューをＧＵＩ表示させるためのメニューボタン、２０４はＥＰＧを呼び出すためのＥＰＧボタン、２０５はメニュー等から操作項目等を移動・選択するための方向キー（４つの三角形のボタン）及び決定キー（中央の円形のボタン）、２０６はファンクションキー、２０７は赤外線送信部である。
【００２７】
■（タイマ予約録画）
次に、本実施形態のデジタルテレビ装置の、タイマ予約録画時における動作手順を図３に示すフローチャートを用いて説明する。
まずステップＳ１０１で電源投入が行われると、通常のＴＶ放送表示を開始（不図示）するとともに、受信波の付加情報からＥＰＧ取得を行い（ステップＳ１０２）、このＥＰＧ情報をメモリ１１４に格納する（ステップＳ１０３）。上述の通りメモリ１１４はＲＯＭおよびＲＡＭからなり、ＥＰＧ情報はＲＡＭに格納される。電源投入後は経過時間がカウントされ、ステップＳ１０４で一定時間（本実施形態では３０分）の経過が検出されるとＥＰＧ情報は再取得され、メモリ１１４内のＥＰＧ情報を更新する。
【００２８】
リモコン１１６から発せられたタイマ予約録画コマンドをリモコン受光部１１５を介して受信（ステップＳ１０５）すると、メモリ１１４のＲＯＭに格納されているタイマ予約録画プログラムを起動し（ステップＳ１０６）、ＧＵＩ生成部１１１が生成した予約画面の表示を行う（ステップＳ１０７）。
【００２９】
以後、リモコン１１６からの各種コマンド、すなわち、選局（ステップＳ１０８）→録画開始日時の入力または選択（ステップＳ１０９）→録画終了時刻や録画モードの選択（ステップＳ１１５）や入力（ステップＳ１１７）に従ってＧＵＩ表示画面を生成し、予約設定を終了する旨のコマンドが入力されたらテレビ表示に戻り（ステップＳ１１９）、コマンド待ちのスタンバイ状態となる（ステップＳ１２０）。
【００３０】
具体的には、まず、ステップＳ１０８において選局入力が、ステップＳ１０９において録画開始日時入力又は選択がそれぞれなされると、制御部１１０は、メモリ１１４に格納されているＥＰＧ情報を呼び出し（ステップＳ１１０）、入力されたチャンネル及び開始日時と呼び出したＥＰＧ情報とを比較、照合し（ステップＳ１１１）、ユーザが録画を望む番組を推定する（ステップＳ１１２）。そして、推定された番組の情報をＥＰＧ情報から取得し、番組終了時間、タイトル等をユーザが選択可能なＧＵＩとして生成（ステップＳ１１３）し、タイマ予約録画設定画面にフィードバックして表示する（ステップＳ１１４）。
【００３１】
図３のフローチャートには図示しなかったが、タイマ予約録画設定画面には、番組コード予約やＥＰＧ予約等の他の録画予約方法へジャンプするボタン（図４、４０８）が表示されており、これらを選択することにより他の予約方法を簡単に選択可能である。
【００３２】
また、本実施形態では番組の局番と日付、録画開始時刻等、ユーザが録画を所望する番組を推測するために必要な情報を予約設定操作の初期段階で入手可能とするような操作手順にしている。
【００３３】
■（タイマ予約録画設定画面）
図４は本実施形態のデジタルテレビ装置においてＧＵＩ生成部１１１が生成し、表示部１０８に表示されるタイマ予約録画設定画面の例を示す図である。ユーザはリモコン１１６を用いて図４の画面を操作し、録画予約を行う。
【００３４】
以下、ユーザがＣＳ放送のＴｏｐ（チャンネル番号ＣＳ２００）という放送局で明日（６月９日とする）のＰＭ７：００〜ＰＭ８：００に「Ｇｅｔ  ｇｏａｌ」という番組が放映予定であると記憶しているものとして、図４のタイマ録画予約設定画面から予約設定を行う場合の操作と、それに対するデジタルテレビ装置の処理について説明する。なお、ここでは番組「Ｇｅｔ  ｇｏａｌ」の実際の放送予定時間帯がＰＭ７：００〜７：５３であるものと仮定する。
【００３５】
また、ＧＵＩ上の設定可能な各設定項目がアクティブであるとき、画面上ではハイライト表示される。画面上の各項目へはリモコン１１６の方向キー２０５の上下左右ボタン（三角形のボタン）を押下することでその方向にある画面上で最短距離にある項目へジャンプする。但し図４から分かるように、各項目の右側にある上下方向の三角部（例えば４０９）がアクティブな時やプルダウンメニューが表示されている時は、リモコン１１６の上下方向キーの操作は関連付けられた項目の数値変更やプルダウンメニュー内の項目選択に用いられる。
【００３６】
１．チャンネルの設定
図４において、４０１はチャンネル設定部で、チャンネル番号部４０１０、放送波種別部４０１１を有する。放送波の種類は衛星と地上波に大別され、衛星はＢＳ，ＣＳに、地上波はデジタル、アナログにそれぞれ更に分割表示される。図は衛星放送であるＣＳ放送の下にＣＳ放送局がプルダウン表示され、チャンネル２００の「Ｔｏｐ」という局が選択可能状態であることを表している。また、チャンネル番号部４０１０がアクティブの時は上下方向の矢印部でチャンネル番号の昇降が可能であると共にリモコン１１６の数字キー２０２で直接チャンネル番号の入力も可能である。放送波種別部４０１１がアクティブである場合はアクティブとなっている放送種類の下に選択可能な放送局名及びチャンネル番号がプルダウン表示され、これを選択することでチャンネル設定を行うことができる。また、放送波種別部４０１１における選択操作とチャンネル番号部４０１０に表示されるチャンネル番号は連動しており、図４に示すように、プルダウンメニューにおいて選択されたチャンネルの番号がチャンネル番号部４０１０にも表示される。
【００３７】
ここではＣＳのプルダウンメニューの中からチャンネル「Ｔｏｐ」を選択し決定キーを押下することによりチャンネル設定を行う。プルダウンメニューが閉じチャンネルが設定され、次の設定項目である日付設定部４０２の表示がアクティブになる。
【００３８】
２．日時の設定
チャンネルが決定されると、自動的に日付設定部４０２の「今日」の項目がアクティブになる。方向キー２０５で「明日」の項目をアクティブにし、決定キーで決定する。このようにする事で予約日の表示は連動して６月９日と表示される。「カレンダ」項目が選択、決定された場合はサブウィンドウが開きカレンダ表示がなされ、カレンダ上でカーソルを移動させ、所望の日付を選択、決定することが可能となる。また、日付設定部４０２に直接数値を入力したり、三角部を選択することによりプルダウンメニューを表示させ、日付を選択、決定することも可能である。
【００３９】
次に録画開始時刻を設定する。
４０３は録画開始時刻設定部である。ＡＭ／ＰＭを選択し、次に上下三角キーを操作して時、分の設定を行う。ここではユーザが放映開始をＰＭ７：００と記憶しているのでそのように時刻設定を行った場合を示している。またリモコン１１６の数字キー２０２を用いて時刻を直接数字入力して設定してもよい。
【００４０】
３．情報比較
これまでの操作により、ユーザが録画を所望する番組を推測するために必要な放送局、放送日、放映開始時刻の情報が得られるので、制御部１１０は定期的に取得、更新しているＥＰＧ情報をメモリ１４から呼び出し、ユーザが設定した情報と、メモリ１４から呼び出したＥＰＧ情報とから、ユーザが録画を希望する番組を推定することが可能である。ＣＳのＴｏｐ局で６月９日ＰＭ７：００から放送開始予定の番組の番組タイトルは「Ｇｅｔ  ｇｏａｌ」であり放送終了時刻はＰＭ７：５３であるという情報をＥＰＧ情報から抽出できる。
【００４１】
４．終了時刻の設定
４０４は録画終了時刻設定部である。制御部１１０は上述した情報比較により推定した番組の終了時刻及びタイトルを、ＧＵＩ生成部１１１、画像処理部１０５等を用い、図４に示すように録画終了時刻及び番組タイトル、チャンネル番号とともに録画終了時刻設定部４０４に設定候補として表示する。表示は情報比較が終了した後に行われるため、ユーザがチャンネル設定部４０１、日付設定部４０２及び録画開始時刻設定部４０３へ入力又は設定を行った時点では録画終了時刻設定部４０４は空欄である。
【００４２】
ユーザはこの段階では終了時刻の設定作業をしていないが、録画終了時刻設定部４０４には上述のように推定された番組の終了時刻が自動表示されるため、タイトル情報から所望の番組であることが確認できれば、リモコン１１６の決定ボタンを押すだけで番組の正確な終了時刻を改めて設定することなく、簡単に設定可能である。もちろん、ユーザが望めば開始時刻の設定と同様にして終了時刻を変更することも可能である。
【００４３】
このように、番組毎に正確な放映開始時刻及び終了時刻を設定可能であるから、ユーザがが自分の記憶を頼りに録画時刻を設定する場合（この例では、終了時刻をＰＭ８：００に設定するであろう）と比較して、不要な録画を避けることが可能になる。
【００４４】
５．その他の設定
タイマ予約録画設定画面では、さらに録画モードの設定を行う。
４０５は録画モードの設定部であり、例えば標準画質、高精細、番組連動のモードから選択する。図では標準画質が設定された状態を示している。
【００４５】
続けて他の番組の録画予約設定を行う時は４０６の「続けて予約」を選択し、予約の確定は４０７の「ＯＫ」を選択する。番組コードやＥＰＧを用いたほかの方法での録画予約に切替えたい場合は４０８「他の方法で録画予約」で他の方法を選択する。
【００４６】
■（予約情報更新処理）
本実施形態に係るデジタルテレビ装置は、予約された番組の放送日時が変更になった場合、予約情報を自動的に修正する機能を有する。すなわち、ＥＰＧ情報は通常数時間毎に更新されており、放送時間に変更があった場合には比較的リアルタイムにその情報が反映される。そのため、予約された番組について予約後に変更があった場合、変更されたＥＰＧ情報に基づいて予約情報を自動的に修正することが可能である。
【００４７】
具体的には、制御部１１０がメモリ１１４もしくはＨＤＤ１１３に記憶された予約情報と、定期的に取得するＥＰＧ情報とを比較し、変更があった場合にはその変更を予約情報に反映させる。この際、変更があったことをメッセージ表示等によってユーザに報知することも可能である。
【００４８】
このように、本実施形態によれば、入力された日付情報、番組の開始時刻情報及びチャンネル情報に基づいて番組を推定し、終了時刻を番組を特定可能な情報（例えばタイトル）とともに表示するので、ユーザは録画の予約に必要な情報の一部を入力するだけで、正確な予約が可能である上、不必要な録画を行わずに済む。また、番組の推定にＥＰＧを用いているため、特別番組や緊急番組放送等によって番組編成に変更が生じた場合でも、ユーザが意識することなくその変更に追従可能であり、誤って別の番組を録画してしまう等の間違いを避けることが可能になった。
【００４９】
■（第２の実施形態）
次に本発明の第２の実施形態について説明する。本実施形態に係る情報処理装置は、記録を希望する番組を設定するための設定画面を呈示する設定画面呈示手段と、放送プログラムを受信するプログラム取得手段と、設定画面を介して入力された、日付、開始時刻、終了時刻、チャンネル番号のいずれか３つに基づいて、放送プログラムから対応する番組を推定する推定手段と、推定手段が推定した番組のタイトル、日付、開始時刻、終了時刻、チャンネル番号を、設定画面呈示手段によって設定画面内に呈示させる制御手段と、設定画面を介して設定の完了が指示されると、日付、開始時刻、終了時刻及びチャンネル番号を予約情報として設定する設定手段とを有し、推定手段が、入力された日付、開始時刻、終了時刻、チャンネル番号のいずれか３つの全てに合致する番組が放送プログラムに存在しない場合、入力された日付、開始時刻、終了時刻、チャンネル番号の１つについて、入力値から所定の範囲に含まれる番組を推定結果とすることを特徴とする情報処理装置である。
【００５０】
第１の実施形態においては、ユーザがチャンネル及び番組開始時刻の設定を正しく設定ていたため、ＥＰＧ情報を単純に検索することにより対応する番組を推定することが可能であった。これに対し、本実施形態は、ユーザが入力したチャンネル及び番組開始時刻がＥＰＧ情報と対応していない場合であっても、第１の実施形態と同様の効果を実現するものである。
【００５１】
本実施形態に係るデジタルテレビ装置の構成は、第１の実施形態と共通でよいため、ここでの説明は省略する。また、本実施形態においてユーザが録画予約を希望する番組は、第１の実施形態と同様、ＣＳ放送のＴｏｐ（チャンネル番号ＣＳ２００）という放送局で明日６月９日に放映予定の「Ｇｅｔ  ｇｏａｌ」という番組であるが、その放映時間がＰＭ７：０３〜ＰＭ７：５３であるものとする。
【００５２】
ユーザはタイマ予約録画画面において、第１の実施形態の場合と同様にまずチャンネル設定を行い次に録画開始日の設定を行う。さらに、録画開始時刻の設定を行うが、本実施形態においてユーザは録画を所望する番組の時間情報をＰＭ７：００から始まる１時間番組というように大まかに記憶しており、ユーザはその記憶が詳細部分まで完全ではないと認識しているので番組の先頭部分に録画漏れがでないようにＰＭ６：５８と設定したものとする。従って、設定された開始時刻から録画を開始すると、番組本編は前述したようにＰＭ７：０３開始であるから５分の無駄な録画を行うことになる。
【００５３】
図５は、本実施形態においてデジタルテレビ装置がユーザに呈示するタイマ予約録画画面の例を示す図である。図５において図４と同じ部分には同じ参照数字を付し、重複する説明は省略する。録画開始時刻設定部４０１の録画開始時刻設定部４０３には、上述の通り、ユーザによりＰＭ６：５８が入力されている。
【００５４】
制御部１１０は、第１の実施形態と同様、メモリ１１４に格納されているＥＰＧ情報を呼び出し、入力されたチャンネル及び開始日時と呼び出したＥＰＧ情報とを比較、照合して、ユーザが録画を望む番組を推定する。
【００５５】
しかしながら、ユーザの入力したチャンネル及び開始時刻に対応する番組は存在しない。このため、制御部１１０はメモリ１１４に格納されているＥＰＧ情報のうち、チャンネル番号部４０１０に設定されたチャンネルについて、録画開始時刻設定部４０３に入力された録画開始時刻前後に放送予定となっている番組のＥＰＧ情報を参照する。
【００５６】
そして、録画開始時刻として設定されたＰＭ６：５８を基点として、近辺に放送が開始され一定時間（ここでは１２分とする）以上放送される番組を優先順位第１位に設定し、少なくとも１つ以上の番組の選択候補のタイトル及び番組開始時刻を予約録画番組の選択肢として録画予約番組候補部５０２に表示する。図の様に複数の番組を選択肢の候補として表示する場合は優先順位第１位の番組をハイライト表示する。同時にハイライトされた録画予約候補の終了時刻も録画終了時刻設定部４０３に表示する。
【００５７】
ユーザが録画予約番組候補部５０２に表示された番組候補の中から所望の番組タイトルを選択、決定すると、制御部１１０は選択された番組に関する情報をメモリ１１４に格納したＥＰＧ情報から取得し、ＥＰＧ情報から得られた正確な番組時刻情報を録画開始時刻設定部４０１及び録画終了時刻設定部４０３に修正入力する。即ち、ユーザが「Ｇｅｔ  ｇｏａｌ」を選択、決定すると、録画開始時刻設定部４０１はＰＭ６：５８の設定からＰＭ７：０３に変更され、録画終了時刻設定部４０３にはＰＭ７：５３が自動設定される。その後の操作は第１の実施形態の場合と同等である。
【００５８】
ここで、番組候補の優先順位設定について説明する。
図６はＣＳチャンネル２００の時間軸による番組構成の概念図である。時間は右から左へと経過する。録画を所望する「Ｇｅｔ  ｇｏａｌ」という番組の直前に約５分間のニュース、その前に１時間もののアニメ番組、後ろにドラマＡが予定されている。Ｐ１〜Ｐ５はユーザが入力する録画開始時刻の例を示す。
【００５９】
本実施形態において、制御部１１０は、録画予約候補番組の優先順位をユーザが入力した録画予約開始時刻に基づいて以下のように決定する。
１．ＥＰＧ情報の番組開始時刻と一致する番組を優先。
２．±一定時間（本実施形態では１０分に設定）以内に放送開始される番組を優先。
３．番組の長さが一定時間（本例では１２分）以上の長さの番組を優先
４．番組が半分以上経過している場合は次の番組を優先
５．１〜４に該当する番組がない場合は入力時刻に一番近い番組開始時刻の番組を優先する。
の順番で優先順位が決定される。
【００６０】
即ちＰ１（７：０３）の開始時刻が設定された時は番組「Ｇｅｔ  ｇｏａｌ」を第１位とする。
Ｐ２（７：１０）の場合、１に該当するものはなく、±１０分以内に始まる番組は「Ｇｅｔ  ｇｏａｌ」であるからこれを優先。
Ｐ３（６：５８）、Ｐ４（６：５３）の場合、１に該当するものはなく、２の±１０分以内に始まる番組としては「Ｇｅｔ  ｇｏａｌ」と「ニュース」があるが、３の条件から１２分以上の番組である「Ｇｅｔ  ｇｏａｌ」を優先。
Ｐ５（７：３０）の場合は、１〜３に該当する番組が無く、番組「Ｇｅｔ  ｇｏａｌ」が半分以上経過しているので４の条件から次の番組であるドラマＡを優先順位１位として録画予約候補番組として表示する。ユーザの記憶に大きな間違いが無ければこのように優先順位を決めることで、ユーザが録画を所望する番組を優先順位１位として表示できる確率が高い。
【００６１】
また、たとえユーザが希望する番組の優先順位が１位にならなくても、図５に示すように前後の番組を含めて複数の番組を録画予約候補番組部５０２に表示すれば、ほとんどの場合ユーザの所望する番組が候補番組として表示されるものと考えられる。上述したように、優先順位１位に設定された番組は録画予約候補番組部５０２にハイライト表示されるため、ユーザが録画を希望する番組がハイライト表示されていればリモコンの決定キーを押下するだけで録画開始時刻の修正および録画終了時刻の設定を行うことができる。
【００６２】
録画を所望する番組が優先順位１位で表示されなかった場合は表示されている他の番組候補を選択することも可能である。また、最初に表示される録画予約候補の中に録画所望する番組がなかった場合、録画予約候補番組部５０２の上下にある三角キーを操作することで番組候補をスクロール表示可能としている。これらの番組情報はメモリ１１４に格納したＥＰＧ情報から取得可能である。
【００６３】
録画所望の番組が表示されない場合は、特別番組や緊急放送等の影響により番組編成が変更された時などに起こりやすいが、予約をＥＰＧ情報連動にしておけば、予約後に番組編成が変更になった場合でもそれに連動して予約内容の変更や警告メッセージの発信等が可能になるので誤録画が起こりにくい。
【００６４】
このように、本実施形態によれば、第１の実施形態よりもさらに柔軟な録画予約が可能であり、大まかな記憶に基づいて予約を行っても正しい設定を簡単に行うことが可能になる。
【００６５】
■（第２の実施形態の変形例）
第２の実施形態において、ユーザが入力した予約開始時刻とチャンネル番号に合致する番組がＥＰＧ情報から得られない場合、同チャンネルの番組の中から番組推定を行っていた。しかし、ユーザがチャンネル番号を誤って入力（もしくは記憶違い）することも考えられるため、他のチャンネルの番組に対して同時刻に対応する番組の有無を調べるように構成しても良い。
【００６６】
この場合、上述の１〜５の条件の１と２の間に、
１．５  他のチャンネルでＥＰＧ情報の番組開始時刻と一致する番組を優先。
を加えればよい。そして、他のチャンネルにおいてユーザが入力した開始時刻に合致する番組があった場合には、その番組を録画予約候補番組部５０２に表示する。
【００６７】
なお、複数の他チャンネルで候補番組が存在する場合、表示する際の優先順位をどのようにするかは任意であるが、例えば元々ユーザが入力したチャンネル番号に近い番号を有するチャンネルの番組を優先してハイライト表示することができる。この場合、ユーザの指定したチャンネルと異なるチャンネルの番組であることをユーザが認識できるように、「入力されたチャンネルと開始時刻に当てはまる番組が無かったため、他チャンネルで該当する番組を表示しています。元入力したチャンネルで番組を探す場合にはリモコンのＸＸキーを押してください」等のメッセージをタイマ予約録画画面中に表示することが好ましい。
【００６８】
候補番組のチャンネル番号は録画予約候補番組部５０２の欄を増やしてタイトルの左に表示するようにしても良いし、ハイライト表示されている候補番組のチャンネル番号をチャンネル番号部４０１０に連動させて表示しても良い。
【００６９】
ユーザがリモコンのＸＸキー（任意に割り当て可能なキー）を押下した場合には、第２の実施形態で説明した処理を行い、最初に設定されたチャンネルでの候補番組を決定、表示する。
【００７０】
ユーザが録画予約候補番組部５０２から候補を選択し、決定キーを押下した場合には、その番組のチャンネル番号をチャンネル番号部４０１０へ、終了時刻を録画終了時刻設定部４０４へ自動設定する。
【００７１】
【他の実施形態】
上述の実施形態においては、デジタルテレビ装置を本発明の情報処理装置の一例として説明したが、本発明は予定に従って放送される音声、映像の少なくとも一方を予約して記録可能な任意の装置に適用可能である。
【００７２】
また、上述の実施形態においては、日付、チャンネル番号及び開始時刻に基づいて番組を推定する構成についてのみ説明したが、日付、開始時刻、終了時刻、チャンネル番号のうちの任意の３つが入力されればよい。
【００７３】
例えば、日付、チャンネル番号及び終了時刻が入力された場合には、上述の実施形態において開始時刻の代わりに終了時刻を用いればよい。また、チャンネル番号と開始時刻、終了時刻が指定された場合には、所定の日数（例えば当日を含めて一週間）について番組を推定し、候補番組を呈示するようにすればよい。日付と開始時刻、終了時刻が指定された場合には、第２の実施形態の変形例で説明したように各チャンネルについて番組を推定すればよい。
【００７４】
また、上述の実施形態ではの１つの機器から構成されるデジタルテレビ装置についてのみ説明したが、同等の機能を複数の機器から構成されるシステムによって実現しても良い。
【００７５】
尚、前述した実施形態の機能を実現するソフトウェアのプログラムを、記録媒体から直接、或いは有線／無線通信を用いて当該プログラムを実行可能なコンピュータを有するシステム又は装置に供給し、そのシステム或いは装置のコンピュータが該供給されたプログラムを実行することによって同等の機能が達成される場合も本発明に含む。
【００７６】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００７７】
その場合、プログラムの機能を有していれば、オブジェクトコード、インタプリタにより実行されるプログラム、ＯＳに供給するスクリプトデータ等、プログラムの形態を問わない。
【００７８】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等の光／光磁気記憶媒体、不揮発性の半導体メモリなどがある。
【００７９】
有線／無線通信を用いたプログラムの供給方法としては、コンピュータネットワーク上のサーバに本発明を形成するコンピュータプログラムそのもの、もしくは圧縮され自動インストール機能を含むファイル等、クライアントコンピュータ上で本発明を形成するコンピュータプログラムとなりうるデータファイル（プログラムデータファイル）を記憶し、接続のあったクライアントコンピュータにプログラムデータファイルをダウンロードする方法などが挙げられる。この場合、プログラムデータファイルを複数のセグメントファイルに分割し、セグメントファイルを異なるサーバに配置することも可能である。
【００８０】
つまり、本発明の機能処理をコンピュータで実現するためのプログラムデータファイルを複数のユーザに対してダウンロードさせるサーバ装置も本発明に含む。
【００８１】
また、本発明のプログラムを暗号化してＣＤ−ＲＯＭ等の記憶媒体に格納してユーザに配布し、所定の条件を満たしたユーザに対して暗号化を解く鍵情報を、例えばインターネットを介してホームページからダウンロードさせることによって供給し、その鍵情報を使用することにより暗号化されたプログラムを実行してコンピュータにインストールさせて実現することも可能である。
【００８２】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００８３】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現され得る。
【００８４】
【発明の効果】
以上説明したように、本発明によれば、タイマ予約に必要な情報のうち、一部の情報を入力するだけで、ユーザの所望する番組を推定して呈示するため、予約に必要な手順を簡略化でき、利便性が向上する。さらに、正確な時間が設定されるため、無駄な記録を抑制することができる。
【００８５】
また、入力された情報と合致した番組が無い場合には、他の候補番組を推定するため、ユーザの記憶が曖昧であっても正確な予約を行うことが可能になる。
【図面の簡単な説明】
【図１】本発明の実施形態に係るデジタルテレビ装置の構成例を示すブロック図である。
【図２】図１のデジタルテレビ装置で用いるリモコンの外観例を示す図である。
【図３】第１の実施形態に係るデジタルテレビ装置におけるタイマ予約処理動作の例を示すフローチャートである。
【図４】第１の実施形態に係るデジタルテレビ装置において表示するタイマ予約設定画面の例を示す図である。
【図５】第２の実施形態に係るデジタルテレビ装置において表示するタイマ予約設定画面の例を示す図である。
【図６】第２の実施形態における番組推定処理を説明するための図である。
【符号の説明】
１０１・・アンテナ
１０２・・チューナ部
１０３・・復調部
１０４・・デマルチプレクサ
１０５・・デコーダ部
１０６・・画像処理部
１０７・・音声処理部
１０８・・表示装置
１０９・・スピーカ
１１０・・制御部
１１１・・ＧＵＩ生成部
１１２・・ＨＤＤ  ｉ／Ｆ
１１３・・ＨＤＤ
１１４・・メモリ部
１１５・・リモコン受光部
１１６・・リモコン
【図１】
2005051325.tif 000003
【図２】
2005051325.tif 000004
【図３】
2005051325.tif 000005
【図４】
2005051325.tif 000006
【図５】
2005051325.tif 000007
【図６】
2005051325.tif 000008